【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
構造（Ａ）で示されたポリカーボネートセグメンと構造（Ｂ）で示されたポリエーテルイミドセグメントを含むポリ（カーボネート−エーテルイミド）化合物を調製する方法であって、
2019502009.tif 000001
（ａ）芳香族ジアンハイドライドと芳香族ジアミンを含む溶液にハロゲン官能基を有する芳香族アミンを加えるステップと、
（ｂ）ポリカーボネートをビスフェノールＡと混合するステップと、
（ｃ）基本的なセシウム化合物とステップ（ａ）（ｂ）から得られた混合物を含む混合物に、銅化合物とピリジル・ケトン化合物を含む混合物を加えるステップと、を含み、
Ｒ１が６〜３０個の炭素原子を有する芳香族化合物を表し、または任意に前記芳香族化合物がヘテロ原子と結合し、
Ｒ２が６〜３０個の炭素原子を有する芳香族化合物を表し、または任意に前記芳香族化合物がヘテロ原子と結合し、
ｍが１〜１５の整数であり、
ｎが１〜１０の整数である、方法。
【請求項２】
ステップ（ａ）のハロゲン官能基を有する芳香族アミンは、４−クロロアニリン、２−ニトロ−４−クロロアニリン、２，５−ジニトロ−４−クロロアニリン、２−フェニル−４−クロロアニリン、２−メトキシ−４−クロロアニリン、４’−クロロ−［１，１’−ビフェニル］−４−アミン、４−（４−クロロフェノキシ）−アニリン、４−［（４−クロロフェニル）チオ］−ベンズエナミン、またはその混合物から選択され、
前記ポリ（カーボネート−エーテルイミド）化合物が構造（Ｉ）に示されるブロックコポリマー構造を有し、
2019502009.tif 000002
Ｒ３が３０個の炭素原子を有する芳香族化合物を表す、請求項１に記載の方法。
【請求項３】
ステップ（ａ）のハロゲン官能基を有する芳香族アミンは、４，４’メチレンビス（２−クロロアニリン）、３，３’−ジクロロベンジジン、２，２’，５，５’テトラクロロベンジジン、４，４’−（１−メチルエチリデン）ビス［２−クロロ−ベンズエナミン］、４，４’−オキシビス［２−クロロ−ベンズエナミン、ビス（４−アミノ−３−クロロフェニル）−メタノン、４，４’−チオビス［２−クロロ−ベンズエナミン］、４，４’−スルホニルビス［２−クロロ−ベンズエナミン］、４，４’−スルホニルビス［２，６−ジクロロ−ベンズエナミン］、またはその混合物から選択され、
前記ポリ（カーボネート−エーテルイミド）化合物が構造（ＩＩ）に示されたグラフトコポリマー構造を有し、
2019502009.tif 000003
Ｒ３が６〜３０個の炭素原子を有する芳香族化合物を表し、
ｙが１〜４の整数である、請求項１に記載の方法。
【請求項４】
Ｒ１は、以下から選択され、
2019502009.tif 000004
Ｒ’が、水素、１〜４つの炭素原子を有するアルキル基、ニトロ基、アルコキシ基、またはフェニル基を表し、
Ｘが、ＣＯ、ＳＯ２、Ｏ、Ｓ、ＣＲ’２、またはＮＲ’を表し、
Ｒ２は、以下から選択され、
2019502009.tif 000005
Ｒ’は、水素、１〜４つの炭素原子を有するアルキル基、ニトロ基、アルコキシ基、またはフェニル基を表し、
Ｘは、ＣＯ、ＳＯ２、Ｏ、Ｓ、ＣＲ’２、ＮＲ’を表し、
Ｒ３は、以下から選択され、
2019502009.tif 000006
Ｒ’は、水素、１〜４つの炭素原子を有するアルキル基、ニトロ基、アルコキシ基、またはフェニル基を表し、
Ｘは、ＣＯ、ＳＯ２、Ｏ、Ｓ、ＣＨ’２、またはＮＲ’を表している、請求項１に記載の方法。
【請求項５】
ステップ（ａ）の芳香族ジアンハイドライドは、４，４’−（４，４’−イソプロピリデンジフェノキシ）ビス（無水フタル酸）、４，４’−ビス（３，４−ジカルボキシフェノキシ）ジフェニル・サルファイド・ジアンハイドライド、１，３−ビス（３，４−ジカルボキシフェノキシ）ベンゼン・ジアンハイドライド、４，４’−ビス（３，４−ジカルボキシフェノキシ）ベンゾフェノン・ジアンハイドライド、またはその混合物から選択された芳香族ビス（エーテル−アンハイドライド）である、請求項１に記載の方法。
【請求項６】
ステップ（ａ）の芳香族ジアミンは、４，４’−ジアミノジフェニルプロパン、４，４’−ジアミノジフェニルメタン、４，４’−ジアミノビフェニル、４，４’−ジアミノジフェニル・エーテル、４，４’−（４，４’−イソプロピリデンジフェニル−１，１’−ジイルジオキシ）ジアニリン、４，４’−（１，１’−ビフェニル−４，４’−ジイルジオキシ）ジアニリン、４，４’−（１，３−フェニレンジオキシ）ジアニリン、またはその混合物から選択される、請求項１に記載の方法。
【請求項７】
ステップ（ａ）は、少なくとも８時間の反応時間の間、１００〜２４０℃の温度で実行され、ステップ（ａ）の芳香族ジアミンに対するハロゲン官能基を有する芳香族アミンのモル比が０．１：１〜１：１であり、ステップ（ａ）の芳香族ジアミンに対する芳香族ジアンハイドライドのモル比が１：１〜２：１である、請求項１に記載の方法。
【請求項８】
ステップ（ｂ）は、０．５〜２時間の反応時間の間、２００〜２５０℃の温度で実行され、ステップ（ｂ）のビスフェノールＡに対する１０，０００〜３０，０００の分子量を有するポリカーボネートの重量比が１：１〜１：３である、請求項１に記載の方法。
【請求項９】
ステップ（ｃ）の銅化合物は、臭化銅（Ｉ）またはヨウ化銅（Ｉ）から選択されるハロゲン化銅である、請求項１に記載の方法。
【請求項１０】
ステップ（ｃ）のピリジル・ケトン化合物は、１−ピリジル−２−プロパノン、３−（２−ピリジニル）−２−ブタノン、１−（２−ピリジニル）−２−ブタノン、１−（６−メチル−２−ピリジニル）アセトン、１−（５−メチル−２−ピリジニル）アセトン、１−（４−メチル−２−ピリジニル）アセトン、１−（３−メチル−２−ピリジニル）アセトン、３−メチル−１−（２−ピリジニル）−２−ブタノン、３−メチル−３−（ピリジン−２−ｙｌ）ブタン−２−ｏｎｅ、１−（２−ピリジル）−ペンタン−２−ｏｎｅ、３，３−ジメチル−１−（２−ピリジニル）−２−ブタノン、および１−（５，６，７，８−テトラヒドロキノリン−８−ｙｌ）エタノンから選択される、請求項１に記載の方法。
【請求項１１】
ステップ（ｃ）は、少なくとも４８時間の反応時間の間、８０〜１５０℃の温度で実行され、ステップ（ｃ）の基本的なセシウム化合物が炭酸セシウムである、請求項１に記載の方法。
【請求項１２】
構造（ＩＩ）に示されたグラフトコポリマー構造を有するポリ（カーボネート−エーテルイミド）化合物を調製する方法であって、
（ａ）芳香族ジアンハイドライドにハロゲン官能基と芳香族ジアミンを有する芳香族アミンを加えるステップと、
（ｂ）ポリカーボネートをビスフェノールＡと混合するステップと、
（ｃ）基本的なセシウム化合物とステップ（ａ）（ｂ）から得られた混合物を含む混合物に、銅化合物とピリジル・ケトン化合物を含む混合物を加えるステップと、を含み、
2019502009.tif 000007
（Ａ）は、下記構造を表し、
2019502009.tif 000008
（Ｂ）は、下記構造を表し、
2019502009.tif 000009
Ｒ１は、６〜３０個の炭素原子を有する芳香族化合物を表し、または任意に前記芳香族化合物はヘテロ原子と結合し、
Ｒ２は、６〜３０個の炭素原子を有する芳香族化合物を表し、または任意に前記芳香族化合物はヘテロ原子と結合し、
Ｒ３は、６〜３０個の炭素原子を有する芳香族化合物を表し、
ｍは、１〜１５の整数であり、
ｎは、１〜１０の整数であり、
ｙは、１〜４の整数である、方法。
【請求項１３】
Ｒ１は下記から選択され、
2019502009.tif 000010
Ｒ’は、水素、１〜４つの炭素原子を有するアルキル基、ニトロ基、アルコキシ基、またはフェニル基を表し、
Ｘは、ＣＯ、ＳＯ２、Ｏ、Ｓ、ＣＲ’２、またはＮＲ’を表わし、
Ｒ２は、下記から選択され、
2019502009.tif 000011
Ｒ’は、水素、１〜４つの炭素原子を有するアルキル基、ニトロ基、アルコキシ基、またはフェニル基を表し、
Ｘは、ＣＯ、ＳＯ２、Ｏ、Ｓ、ＣＲ’２、またはＮＲ’を表し、
Ｒ３は、下記から選択され、
2019502009.tif 000012
Ｒ’は、水素、１〜４つの炭素原子を有するアルキル基、ニトロ基、アルコキシ基、またはフェニル基を表し、
Ｘは、ＣＯ、ＳＯ２、Ｏ、Ｓ、ＣＲ’２、またはＮＲ’を表す、請求項１２に記載の方法。
【請求項１４】
ステップ（ａ）のハロゲン官能基を有する芳香族アミンは、４，４’メチレンビス（２−クロロアニリン）、３，３’−ジクロロベンジジン、２，２’，５，５’テトラクロロベンジジン、４，４’−（１−メチルエチリデン）ビス［２−クロロ−ベンズエナミン］、４，４’−オキシビス［２−クロロ−ベンズエナミン、ビス（４−アミノ−３−クロロフェニル）−メタノン、４，４’−チオビス［２−クロロ−ベンズエナミン］、４，４’−スルホニルビス［２−クロロ−ベンズエナミン］、４，４’−スルホニルビス［２，６−ジクロロ−ベンズエナミン］、またはその混合物から選択される、請求項１２に記載の方法。
【請求項１５】
ステップ（ａ）の芳香族ジアンハイドライドは、４，４’−（４，４’−イソプロピリデンジフェノキシ）ビス（３，４−ジカルボキシフェノキシ）ジフェニル・サルファイド・ジアンハイドライド、１，３−ビス（３，４−ジカルボキシフェノキシ）ベンゼン・ジアンハイドライド、４，４’−ビス（３，４ジカルボキシフェノキシ）ベンゾフェノン・ジアンハイドライド、またはその混合物から選択される芳香族ビス（エーテル−ジアンハイドライド）である、請求項１２に記載の方法。
【請求項１６】
ステップ（ａ）の芳香族ジアミンは、４，４’−ジアミノジフェニルプロパン、４，４’−ジアミノジフェニルメタン、４，４’−ジアミノビフェニル、４，４’−ジアミノジフェニル・エーテル、４，４’−（４，４’−イソプロピリデンジフェニル−１，１’−ジイルジオキシ）ジアニリン、４，４’−（１，１’−ビフェニル−４，４’−ジイルジオキシ）ジアニリン、４，４’−（１，３−フェニレンジオキシ）ジアニリン、またはその混合物から選択される、請求項１２に記載の方法。
【請求項１７】
ステップ（ａ）は、少なくとも８時間の反応時間の間、１００〜２４０℃の温度で実行され、ステップ（ａ）の芳香族ジアミンに対するハロゲン官能基を有する芳香族アミンのモル比が０．１：１〜１：１であり、ステップ（ａ）の芳香族ジアミンに対する芳香族ジアンハイドライドのモル比が１：１〜２：１である、請求項１２に記載の方法。
【請求項１８】
ステップ（ｂ）は、０．５〜２時間の反応時間の間、２００〜２５０℃の温度で実行され、ステップ（ｂ）のビスフェノールＡに対する１０，０００〜３０，０００の分子量を有するポリカーボネートの重量比が１：１〜１：３である、請求項１２に記載の方法。
【請求項１９】
ステップ（ｃ）の銅化合物は、臭化銅（Ｉ）またはヨウ化銅（Ｉ）から選択されるハロゲン化銅である、請求項１２に記載の方法。
【請求項２０】
ステップ（ｃ）のピリジル・ケトン化合物は、１−ピリジル−２−プロパノン、３−（２−ピリジニル）−２−ブタノン、１−（２−ピリジニル）−２−ブタノン、１−（６−メチル−２−ピリジニル）アセトン、１−（５−メチル−２−ピリジニル）アセトン、１−（４−メチル−２−ピリジニル）アセトン、１−（３−メチル−２−ピリジニル）アセトン、３−メチル−１−（２−ピリジニル）−２−ブタノン、３−メチル−３−（ピリジン−２−ｙｌ）ブタン−２−ｏｎｅ、１−（２−ピリジル）−ペンタン−２−ｏｎｅ、３，３−ジメチル−１−（２−ピリジニル）−２−ブタノン、および１−（５，６，７，８−テトラヒドロキノリン−８−ｙｌ）エタノンから選択される、請求項１２に記載の方法。
【請求項２１】
ステップ（ｃ）は、少なくとも４８時間の反応時間の間、８０〜１５０℃の温度で実行され、ステップ（ｃ）の基本的なセシウム化合物は、炭酸セシウムである、請求項１２に記載の方法。